(57)【要約】【課題】視野角の違いによって発生する色ずれを抑制することができる発光装置及び電子機器を提供する。【解決手段】発光層４０から射出された光を共振させる光共振器構造が構成された発光装置１において、複数の発光素子２１には、光共振器構造における共振波長の異なる複数の発光素子２１が含まれ、複数の発光素子２１から射出される異なる色の光のうち、少なくとも青色光を発光する発光素子２１の基板２０Ａの法線方向から見て発光層４０と重なる領域に着色層３７Ｂが設けられ、着色層３７Ｂは、発光層４０と重なる領域の中央部に設けられた第１着色層３７Ｂａと、発光層４０と重なる領域の周辺部に設けられた第２着色層３７Ｂｂと、を有し、第２着色層３７Ｂｂで透過される光の透過率のスペクトルのピーク波長が、第１着色層３７Ｂａで透過される光の透過率のスペクトルのピーク波長より長波長側にシフトするように調整されている。【選択図】図１
2010192138.tif 000002
【特許請求の範囲】
【請求項１】
基板上に光透過性を有する第１電極と半透過反射性を有する第２電極との間に挟持された発光層と、前記第１電極を挟んで前記発光層の反対側に配置された光反射層と、を有する複数の発光素子を備え、前記光反射層と前記第２電極との間で、前記発光層から射出された光を共振させる光共振器構造が構成された発光装置において、
前記複数の発光素子には、前記光共振器構造における共振波長の異なる複数の発光素子が含まれ、前記複数の発光素子から射出される異なる色の光のうち、少なくとも青色光を発光する発光素子の前記基板の法線方向から見て前記発光層と重なる領域に着色層が設けられ、
前記着色層は、前記発光層と重なる領域の中央部に設けられ前記発光層から射出される光の強度のスペクトルのピーク波長が相対的に長波長側にシフトした光を透過する第１着色層と、前記発光層と重なる領域の周辺部に設けられ前記発光層から射出される光の強度のスペクトルのピーク波長が相対的に短波長側にシフトした光を透過する第２着色層と、を有し、前記第２着色層で透過される光の透過率のスペクトルのピーク波長が、前記第１着色層で透過される光の透過率のスペクトルのピーク波長より長波長側にシフトするように調整されていることを特徴とする発光装置。
【請求項２】
緑色光を発光する発光素子の前記基板の法線方向から見て前記発光層と重なる領域に前記着色層が設けられていることを特徴とする請求項１に記載の発光装置。
【請求項３】
前記第１着色層で透過される光の透過率のスペクトルのピーク波長と、前記第２着色層で透過される光の透過率のスペクトルのピーク波長と、の間のシフト量が波長５〜１００ｎｍの範囲内に設定されていることを特徴とする請求項１または２に記載の発光装置。
【請求項４】
前記着色層を透過する光のスペクトルにおいて、最大の透過率を示す光の波長をピーク波長、前記ピーク波長における光の透過率を最大透過率とし、さらに、前記最大透過率の所定割合の透過率を示す光の波長のうち最小の波長を第１波長、最大の波長を第２波長としたときに、前記第１着色層を透過する光のスペクトルにおける第１波長が、前記第２着色層を透過する光のスペクトルにおける第１波長よりも小さく、前記第１着色層を透過する光のスペクトルにおける第２波長が、前記第２着色層を透過する光のスペクトルにおける第２波長よりも小さく、前記第１着色層を透過する光のスペクトルにおけるピーク波長が、前記第２着色層を透過する光のスペクトルにおけるピーク波長よりも小さいことを特徴とする請求項１〜３のいずれか１項に記載の発光装置。
【請求項５】
前記所定割合は、前記着色層を透過する光のスペクトルの最大透過率の５０％であり、かつ、前記第１着色層を透過する光のスペクトルにおける第１波長と、前記第２着色層を透過する光のスペクトルにおける第１波長と、の間のシフト量が波長５〜４０ｎｍの範囲内になるように設定されていることを特徴とする請求項４に記載の発光装置。
【請求項６】
前記第１着色層を透過した光のｕ’ｖ’色度座標における色度座標と、前記第２着色層を透過した光のｕ’ｖ’色度座標における色度座標と、の距離をΔｕ’ｖ’としたときに、Δｕ’ｖ’＜０．０２を満たすことを特徴とする請求項１〜５のいずれか１項に記載の発光装置。
【請求項７】
前記第２着色層が、前記発光層から射出される光の強度のスペクトルのピーク波長の値を、前記発光層から前記基板の法線方向に射出される光の強度のスペクトルのピーク波長の値よりも長波長側に変換する色変換層となっていることを特徴とする請求項１〜６のいずれか１項に記載の発光装置。
【請求項８】
前記色変換層が、青色光を緑色光に波長変換することを特徴とする請求項７に記載の発光装置。
【請求項９】
前記色変換層が、青色光を赤色光に波長変換することを特徴とする請求項７に記載の発光装置。
【請求項１０】
前記色変換層が、緑色光を赤色光に波長変換することを特徴とする請求項７〜９のいずれか一項に記載の発光装置。
【請求項１１】
請求項１〜１０のいずれか１項に記載の発光装置を備えていることを特徴とする電子機器。
【発明の詳細な説明】
【技術分野】
【０００１】
本発明は、発光装置及び電子機器に関するものである。
【背景技術】
【０００２】
近年、情報機器の多様化等に伴い、消費電力が少なく軽量化された発光装置のニーズが高まっている。この様な発光装置の一つとして、有機エレクトロルミネッセンス装置（以下、「有機ＥＬ装置」という）が知られている。このような有機ＥＬ装置は、陽極（第１電極）と陰極（第２電極）との間に発光層を有する発光素子を備えたものが一般的である。さらに、正孔注入性や電子注入性を向上させるために、陽極と発光層との間に正孔注入・輸送層を配置した構成や、発光層と陰極との間に電子注入層やホールブロック層を配置した構成が提案されている。
【０００３】
ところで、上述した有機ＥＬ装置は、発光層から取り出される光のスペクトルのピーク幅が広く、発光輝度も小さいため、表示装置に適用した場合に、十分な色再現性が得られないという問題があった。そこで、基板と陽極との間に形成された光反射層と、発光層の射出側に形成された半透過反射性を有する陰極と、を備え、光反射層と陰極との間で、発光層から射出された光を共振させる光共振構造を設ける構造が提案されている。
この構成によれば、発光層から射出された光は、光反射層と陰極との間で往復し、その光学的距離に対応した共振波長の光だけが増幅されて取り出される。このため、輝度特性が高く、スペクトル幅が狭いシャープな光を取り出すことができるとされている。
【０００４】
しかしながら、上述した光共振器構造を採用した有機ＥＬ装置では、スペクトル幅が狭くなると、表示面を斜めから見た場合、つまり視野角が大きくなるにつれ光の波長が短波長側にシフトしたり、発光輝度が低下したりする等、発光特性の視野角依存性が高いという問題がある。
そこで、例えば特許文献１に示すように、発光層から射出された光の光学的距離を最適化することで、ある程度のスペクトル幅を有するように共振させる構成が開示されている。
【先行技術文献】
【特許文献】
【０００５】
【特許文献１】国際公開第０１／０３９５５４号パンフレット
【発明の概要】
【発明が解決しようとする課題】
【０００６】
近年、有機ＥＬ装置の高品質化に伴い、視野角特性の更なる向上が要求されている。
図１０は、従来における発光輝度の視野角特性を示すグラフである。なお、図１０において、上半部における縦軸の０°が観察者の視覚方向の正面（表示面の法線方向）、つまり視野角０°を示している。また、発光輝度は視野角０°の位置での発光輝度を１００％とした場合における割合で示しており、中心Ｏを０％、最外周を１００％として同心円上に示している。
図１０に示すように、上記従来技術では、赤色光、緑色光、青色光の各色ともに視野角０°の位置で発光輝度が最大となるように光学的距離が最適化されており、視野角０°において、最適な白色光Ｗが射出されるようになっている。そして、視野角が大きくなるにつれ、各色Ｒ，Ｇ，Ｂともに発光輝度が減衰している。つまり、視野角が大きくなるにつれ、光学的距離が最適条件からずれて長くなり、取り出したい光が最適な共振波長の条件で射出されなくなる。これにより、取り出される光のスペクトルのピーク波長が短波長側にシフトする。
【０００７】
図１１は、従来における色度の視野角特性を示す色度図であり、図中実線は、視野角が０°〜８０°まで変化した場合におけるスペクトルのピーク波長の変化を示している。
図１１に示すように、上記従来技術では、赤色光、緑色光、青色光の各色ともに視野角０°の位置（図１１中符号Ｒ１’，Ｇ１’，Ｂ１’）において、最適な色度で射出されるように設定され、白色光（図１１中符号Ｗ１’）が表示されるようになっている。
しかしながら、上述したように視野角が大きくなるにつれ、各色のピーク波長が最適条件からずれて短波長側にシフトすると（図１１中符号Ｒ２’，Ｇ２’，Ｂ２’）、全体的な色ずれが生じるという問題がある。つまり、視野角０°の位置では白色光が表示されるのに対して、視野角が大きくなるにつれて青色側（短波長側）にシフトし、表示が青く見えてしまう（図１１中符号Ｗ２’）。
【０００８】
本発明はこのような事情に鑑みてなされたものであって、視野角の違いによって発生する色ずれを抑制することができる発光装置及び電子機器を提供することを目的とする。
【課題を解決するための手段】
【０００９】
上記の課題を解決するため、本発明の発光装置は、基板上に光透過性を有する第１電極と半透過反射性を有する第２電極との間に挟持された発光層と、前記第１電極を挟んで前記発光層の反対側に配置された光反射層と、を有する複数の発光素子を備え、前記光反射層と前記第２電極との間で、前記発光層から射出された光を共振させる光共振器構造が構成された発光装置において、前記複数の発光素子には、前記光共振器構造における共振波長の異なる複数の発光素子が含まれ、前記複数の発光素子から射出される異なる色の光のうち、少なくとも青色光を発光する発光素子の前記基板の法線方向から見て前記発光層と重なる領域に着色層が設けられ、前記着色層は、前記発光層と重なる領域の中央部に設けられ前記発光層から射出される光の強度のスペクトルのピーク波長が相対的に長波長側にシフトした光を透過する第１着色層と、前記発光層と重なる領域の周辺部に設けられ前記発光層から射出される光の強度のスペクトルのピーク波長が相対的に短波長側にシフトした光を透過する第２着色層と、を有し、前記第２着色層で透過される光の透過率のスペクトルのピーク波長が、前記第１着色層で透過される光の透過率のスペクトルのピーク波長より長波長側にシフトするように調整されていることを特徴とする。
この構成によれば、光共振器構造における共振波長の異なる複数の発光素子が含まれているため、例えば、赤（Ｒ）、緑（Ｇ）、青（Ｂ）の各色に対応する共振波長を有する発光素子を形成することで、フルカラー表示が可能な発光装置を提供することができる。
そして、青色光を発光する発光素子の基板の法線方向から見て、発光層と重なる領域の中央部に第１着色層が設けられ、発光層と重なる領域の周辺部に第２着色層が設けられている。すると、発光層からほぼ鉛直方向に射出された光が第１着色層を透過し、発光層から斜め方向に射出された光が第２着色層を透過するようになる。ところで、発光層から斜め方向に射出された光は、発光層からほぼ鉛直方向に射出された光に対して光の強度のスペクトルのピーク波長が相対的に短波長側にシフトする。つまり、視野角が大きくなるにつれ光の強度のスペクトルのピーク波長が相対的に短波長側にシフトした光が、第２着色層を透過することになる。そこで、本発明の発光装置では、第２着色層で透過される光の透過率のスペクトルのピーク波長が、第１着色層で透過される光の透過率のスペクトルのピーク波長よりも長波長側にシフトするように調整されている。このため、第２着色層においては、ピーク波長が相対的に短波長側にシフトした光の強度のスペクトルと、ピーク波長が相対的に長波長側にシフトした光の透過率のスペクトルと、が掛け合わされることになる。これにより、短波長側にシフトした光の強度のスペクトルのピーク波長が長波長側にシフトする。このようにして、青色光が取り出される着色層を構成する第１着色層で透過される光と第２着色層で透過される光とのスペクトルのピーク波長のずれが最小限に抑えられる。すなわち、視野角が大きくなるにつれて白色光が青色光にシフトするのを抑えることになる。したがって、視野角の違いにより発生する色ずれを抑制することができる。
【００１０】
本発明においては、緑色光を発光する発光素子の前記基板の法線方向から見て前記発光層と重なる領域に前記着色層が設けられていてもよい。
この構成によれば、緑色光が取り出される着色層を構成する第１着色層で透過される光と第２着色層で透過される光とのスペクトルのピーク波長のずれが最小限に抑えられる。したがって、青色光を透過する着色層に加えて緑色光を透過する着色層を最適な透過率に調整することにより、視野角の違いにより発生する色ずれを格段に抑制することができる。
【００１１】
本発明においては、前記第１着色層で透過される光の透過率のスペクトルのピーク波長と、前記第２着色層で透過される光の透過率のスペクトルのピーク波長と、の間のシフト量が波長５〜１００ｎｍの範囲内に設定されていることが望ましい。
本願発明者は、第１着色層で透過される光の透過率のスペクトルのピーク波長と、第２着色層で透過される光の透過率のスペクトルのピーク波長と、の間のシフト量を波長５〜１００ｎｍの範囲内に設定してシミュレーションを行った。そして、光の強度のスペクトルと光の透過率のスペクトルとが掛け合わされると、第１着色層で透過される光と第２着色層で透過される光とのスペクトルのピーク波長のずれが最小限に抑えられることを見出した。したがって、この構成によれば、視野角が大きくなるにつれて白色光が青色光にシフトするのを抑え、視野角の違いにより発生する色ずれを抑制することができる。
【００１２】
本発明においては、前記着色層を透過する光のスペクトルにおいて、最大の透過率を示す光の波長をピーク波長、前記ピーク波長における光の透過率を最大透過率とし、さらに、前記最大透過率の所定割合の透過率を示す光の波長のうち最小の波長を第１波長、最大の波長を第２波長としたときに、前記第１着色層を透過する光のスペクトルにおける第１波長が、前記第２着色層を透過する光のスペクトルにおける第１波長よりも小さく、前記第１着色層を透過する光のスペクトルにおける第２波長が、前記第２着色層を透過する光のスペクトルにおける第２波長よりも小さく、前記第１着色層を透過する光のスペクトルにおけるピーク波長が、前記第２着色層を透過する光のスペクトルにおける光のピーク波長よりも小さくてもよい。
この構成によれば、短波長側にシフトした光の強度のスペクトルのピーク波長が確実に長波長側にシフトする。つまり、青色光が取り出される着色層を構成する第１着色層で透過される光と第２着色層で透過される光とのスペクトルのピーク波長のずれがより最小限に抑えられる。したがって、視野角が大きくなるにつれて白色光が青色光にシフトするのを抑え、視野角の違いにより発生する色ずれを格段に抑制することができる。
【００１３】
本発明においては、前記所定割合は、前記着色層を透過する光のスペクトルの最大透過率の５０％であり、かつ、前記第１着色層を透過する光のスペクトルにおける第１波長と、前記第２着色層を透過する光のスペクトルにおける第１波長と、の間のシフト量が波長５〜４０ｎｍの範囲内になるように設定されていることが望ましい。
本願発明者は、前記所定割合を、着色層を透過する光のスペクトルの最大透過率の５０％とし、かつ、第１着色層を透過する光のスペクトルにおける第１波長と、第２着色層を透過する光のスペクトルにおける第１波長と、の間のシフト量が波長５〜４０ｎｍの範囲内になるように設定してシミュレーションを行った。そして、光の強度のスペクトルと光の透過率のスペクトルとが掛け合わされると、第１着色層で透過される光と第２着色層で透過される光とのスペクトルのピーク波長のずれがより最小限に抑えられることを見出した。したがって、視野角が大きくなるにつれて白色光が青色光にシフトするのを抑え、視野角の違いにより発生する色ずれを格段に抑制することができる。
【００１４】
本発明においては、前記第１着色層を透過した光のｕ’ｖ’色度座標における色度座標と、前記第２着色層を透過した光のｕ’ｖ’色度座標における色度座標と、の距離をΔｕ’ｖ’としたときに、Δｕ’ｖ’＜０．０２を満たすことが望ましい。
この構成によれば、観察者から色ずれが分からない程度に色度シフトの量が調整される。このため、着色層の透過前に、発光層から斜め方向に射出された光が発光層からほぼ鉛直方向に射出された光に対して光の強度のスペクトルのピーク波長が相対的に短波長側にシフトしていても、着色層の透過後には、発光層から斜め方向に射出された光と発光層からほぼ鉛直方向に射出された光との色度がほぼ同じになる。したがって、視野角が大きくなるにつれて白色光が青色光にシフトするのを抑え、視野角の違いにより発生する色ずれを抑制することができる。
【００１５】
本発明においては、前記第２着色層が、前記発光層から射出される光の強度のスペクトルのピーク波長の値を、前記発光層から前記基板の法線方向に射出される光の強度のスペクトルのピーク波長の値よりも長波長側に変換する色変換層となっていてもよい。
この構成によれば、発光層から斜め方向に射出された光の強度のスペクトルのピーク波長が長波長側に変換される。このため、第１着色層で透過される光と色変換層で透過される光とのスペクトルのピーク波長のずれが最小限に抑えられ、視野角が大きくなるにつれて白色光が青色光にシフトするのを抑えることになる。したがって、視野角の違いにより発生する色ずれを抑制することができる。また、発光層から射出される光の発光色は所定の色に限定されないため、輝度の高い発光素子を光源に用いることができる。したがって、輝度特性の高い光を取り出すことができる。
【００１６】
本発明においては、前記色変換層が、青色光を緑色光に波長変換することが望ましい。
この構成によれば、発光層から斜め方向に射出された青色光が長波長の緑色光に波長変換される。このため、第１着色層で透過される光と色変換層で透過される光とのスペクトルのピーク波長のずれが最小限に抑えられる。そして、視野角が大きくなるにつれて白色光が青色光にシフトするのを抑えることになる。したがって、視野角の違いにより発生する色ずれを抑制することができる。
【００１７】
本発明においては、前記色変換層が、青色光を赤色光に波長変換することが望ましい。
この構成によれば、発光層から斜め方向に射出された青色光が長波長の赤色光に波長変換される。このため、第１着色層で透過される光と色変換層で透過される光とのスペクトルのピーク波長のずれが最小限に抑えられる。そして、視野角が大きくなるにつれて白色光が青色光にシフトするのを抑えることになる。したがって、視野角の違いにより発生する色ずれを抑制することができる。
【００１８】
本発明においては、前記色変換層が、緑色光を赤色光に波長変換することが望ましい。
この構成によれば、発光層から斜め方向に射出された緑色光が長波長の赤色光に波長変換される。このため、第１着色層で透過される光と色変換層で透過される光とのスペクトルのピーク波長のずれが最小限に抑えられる。そして、視野角が大きくなるにつれて白色光が青色光にシフトするのを抑えることになる。したがって、青色光に加えて緑色光を波長変換することにより、視野角の違いにより発生する色ずれを格段に抑制することができる。
【００１９】
本発明の電子機器は、前述した本発明の発光装置を備えていることを特徴とする。
この構成によれば、上述した発光装置を備えているため、視野角の違いによって発生する色ずれを抑制した高性能な電子機器を提供することができる。
【図面の簡単な説明】
【００２０】
【図１】第１実施形態に係る有機ＥＬ装置の概略構成断面図である。
【図２】第１実施形態に係る有機ＥＬ装置の概略構成平面図である。
【図３】図１のＡ部拡大図である。
【図４】視野角による光の射出方向の違いを示す図である。
【図５】光の強度のスペクトルと光の透過率のスペクトルとの関係を示す図である。
【図６】第１実施形態に係る色度の視野角特性を示す色度図である。
【図７】第２実施形態に係る有機ＥＬ装置の概略構成断面図である。
【図８】図７のＡ’部拡大図である。
【図９】本発明の実施形態に係る電子機器を示す図である。
【図１０】従来における発光輝度の視野角特性を示すグラフである。
【図１１】従来における色度の視野角特性を示す色度図である。
【発明を実施するための形態】
【００２１】
以下、図面を参照して、本発明の実施の形態について説明する。かかる実施の形態は、本発明の一態様を示すものであり、この発明を限定するものではなく、本発明の技術的思想の範囲内で任意に変更可能である。また、以下の図面においては、各構成をわかりやすくするために、実際の構造と各構造における縮尺や数等が異なっている。
【００２２】
（第１実施形態）
図１及び図２は本発明の発光装置の一例として挙げる有機ＥＬ装置の概略を示す模式図である。図１は本実施形態に係る有機ＥＬ装置１の断面図である。図２は本実施形態に係る有機ＥＬ装置１の平面図である。本実施形態における有機ＥＬ装置１は、トップエミッション構造の有機ＥＬ装置である。この有機ＥＬ装置１は、素子基板２０Ａ上の陽極（第１電極）１０と陰極（第２電極）１１の間に挟持された有機機能層１２と金属反射板（光反射層）１５とを有する複数の発光素子２１を備えている。
【００２３】
また、有機ＥＬ装置１は、発光素子２１を画素領域ＸＲ,ＸＧ，ＸＢ毎に区切る画素隔壁１３と、素子基板２０Ａに対向配置された封止基板３１と、を備えている。また、有機ＥＬ装置１は、複数の発光素子２１の素子基板２０Ａの法線方向から見て、画素隔壁１３が形成されていない領域の有機機能層１２と重なる領域に、着色層３７Ｒ，３７Ｇ，３７Ｂを有している。この有機ＥＬ装置１は、素子基板２０Ａの対向側である封止基板３１側から発光光を取り出す構成であるため、素子基板２０Ａの材料としては、透明基板及び不透明基板のいずれも用いることができる。
【００２４】
素子基板２０Ａ上には、窒化珪素等からなる無機絶縁層１４が形成されている。無機絶縁層１４上にはアルミ合金等からなる金属反射板１５が内装された平坦化層１６が形成されている。この平坦化層１６は、アクリル系やポリイミド系等の、耐熱性絶縁性樹脂などによって形成されたもので、薄膜トランジスタ（ＴＦＴ）１２３や配線等による表面の凹凸をなくすために形成されている。
【００２５】
平坦化層１６上には、陽極１０が形成されている。この陽極１０は、酸化物系透明導電材料によって形成され、具体的にはＩＴＯ（Ｉｎｄｉｕｍ  Ｔｉｎ  Ｏｘｉｄｅ：インジウム錫酸化物）が好適に用いられている。陽極１０は、各発光素子２１に対応して形成されており、その一端側が無機絶縁層１４に形成されたコンタクトホール１７を介してＴＦＴ１２３に接続されている。
【００２６】
陽極１０上には、画素隔壁１３が形成されている。この画素隔壁１３は、陽極１０上に開口部を有し、複数の発光素子２１を独立させて区分するものである。つまり、画素隔壁１３に囲まれた領域が発光素子２１の画素領域Ｘとなっており、これらは赤色光、青色光、緑色光のそれぞれの光が封止基板３１側から取り出される画素領域ＸＲ,ＸＧ，ＸＢとして割り当てられている。なお、画素隔壁１３の形成材料としては、例えばポリイミド、アクリル等の絶縁性を有する有機物を用いることができる。なお、画素隔壁１３の形成材料としては、無機物と有機物とを組み合わせたものであってもよい。
【００２７】
有機機能層１２は、正孔注入・輸送層３０と発光層４０とを備えている。正孔注入・輸送層３０は、陽極１０の正孔を発光層４０に注入・輸送するためのものである。正孔注入・輸送層３０は、素子基板２０Ａ上の陽極１０上に各画素隔壁１３を跨いで形成されている。正孔注入・輸送層３０の形成材料としては、特に３，４−ポリエチレンジオキシチオフェン／ポリスチレンスルフォン酸（ＰＥＤＯＴ／ＰＳＳ）の水分散液が好適に用いられる。なお、正孔注入・輸送層３０の形成材料としては、上述のものに限定されることなく種々のものが使用可能である。例えば、ポリスチレン、ポリピロール、ポリアニリン、ポリアセチレンやその誘導体などを、適宜な分散媒、例えば前記のポリスチレンスルフォン酸に分散させたものなどが使用可能である。
【００２８】
発光層４０は、陰極１１から注入される電子と正孔注入・輸送層３０から注入される正孔とが結合して所定の波長の光が射出される部分である。発光層４０は、正孔注入・輸送層３０上の全域に亘って形成されている。発光層４０は、赤色、緑色、青色を発光する発光材料が積層されて白色に発光する白色発光層を採用している。このような発光層４０の構成材料として、例えばポリフルオレン誘導体（ＰＦ）やポリパラフェニレンビニレン誘導体（ＰＰＶ）、ポリパラフェニレン誘導体（ＰＰＰ）、ポリビニカルバゾール（ＰＶＫ）、ポリチオフェン誘導体、ポリメチルフェニルシラン（ＰＭＰＳ）などのポリシラン系などの高分子有機材料を用いることができる。また、上記高分子有機材料に、例えばペリレン系色素や、クマリン系色素、ローダミン系色素、ルブレン、９，１０−ジフェニルアントラセン、テトラフェニルブタジエン、ナイルレッド、キナクリドンなどの低分子有機材料をドープしたものを用いてもよい。なお、発光層４０の上層に、電子輸送層やホールブロック層を形成することが好ましい。
【００２９】
陰極１１は、発光層４０から発光した光の一部を透過し、残りの光の一部又は全部を金属反射板１５側に反射する半透過反射性を有している（図３中矢印参照）。陰極１１は、素子基板２０Ａ上の画素隔壁１３及び発光層４０を覆うように形成されている。一般に、上述したＩＴＯ等の透光性導電膜は、大気層との界面で１０％程度の反射率を有しており、特段の工夫を施さなければ、このような透光性導電膜を用いた陰極１１は、上記のような半透過反射性を有するものとなっている。
【００３０】
陰極１１上には、有機緩衝層１８が形成されている。有機緩衝層１８は、画素隔壁１３の形状の影響により、凹凸状に形成された陰極１１の凹凸部分を埋めるように形成されている。そして、有機緩衝層１８の上面は略平坦になるように形成されている。有機緩衝層１８は、素子基板２０Ａの反りや体積膨張により発生する応力を緩和し、不安定な形状の画素隔壁１３からの陰極１１の剥離を防止する機能を有する。
【００３１】
有機緩衝層１８上には、有機緩衝層１８を覆うようにガスバリア層１９が形成されている。ガスバリア層１９は、酸素や水分が内部に浸入するのを防止するためのもので、これにより酸素や水分による発光素子２１の劣化等を抑えることができる。ガスバリア層１９の材質は、透明性、ガスバリア性、耐水性を考慮して、好ましくは窒素を含む珪素化合物、すなわち珪素窒化物や珪素酸窒化物などによって形成される。また、上述した有機緩衝層１８の上面が略平坦化されるので、有機緩衝層１８上に形成される硬い被膜からなるガスバリア層１９も平坦化される。したがって、応力が集中する部位がなくなり、これにより、ガスバリア層１９でのクラックの発生を防止することができる。
【００３２】
ガスバリア層１９上には、ガスバリア層１９を覆うようにシール層２２が形成されている。シール層２２は、ガスバリア層１９上に封止基板３１を固定させ、かつ外部からの機械的衝撃に対して緩衝機能を有し、発光層４０やガスバリア層１９の保護をするものである。シール層２２は、例えばウレタン系、アクリル系、エポキシ系、ポリオレフィン系などの樹脂で、封止基板３１より柔軟でガラス転移点の低い材料からなる接着剤によって形成されている。
【００３３】
封止基板３１は、上述した素子基板２０Ａに対向配置されている。封止基板３１は、その上面が発光光を取り出す表示面として機能するため、ガラスまたは透明プラスチック（ポリエチレンテレフタレート、アクリル樹脂、ポリカーボネ―ト、ポリオレフィン等）などの光透過性を有する材料で構成されている。
【００３４】
封止基板３１の下面には、平面視矩形状の赤色着色層３７Ｒ、緑色着色層３７Ｇ、青色着色層３７Ｂがマトリクス状に配列形成されたカラーフィルター３７が構成されている。各着色層３７Ｒ，３７Ｇ，３７Ｂは、透明バインダー層に顔料または染料が混合して構成された層で、顔料を選択することにより目的とする赤（Ｒ）、緑（Ｇ）あるいは青（Ｂ）に調整されている。なお、着色層３７Ｒ，３７Ｇ，３７Ｂは、各色のカラーレジストをパターニングして形成してもよい。また、着色層３７Ｒ，３７Ｇ，３７Ｂの色は目的に応じてライトブルーやライトシアン、白などを加えてもよい。
【００３５】
着色層３７Ｒ，３７Ｇ，３７Ｂの各々は、発光素子２１の陽極１０に対向して配置されている。これにより、発光層４０から射出された光のうち、各色の波長に対応した光（例えば、赤色光は波長６１０ｎｍ、緑色光は波長５３０ｎｍ、青色光は波長４７０ｎｍ）のみが着色層３７の各々を透過し、各色光として観察者側に射出されるようになっている。
【００３６】
着色層３７Ｒ，３７Ｇ，３７Ｂの領域の間には、ブラックマトリクス層３２が形成されている。このブラックマトリクス層３２は、着色層３７を区分して非発光部分として構成しており、隣接する画素領域ＸＲ，ＸＧ,ＸＢ間の光漏れを防止するものである。ブラックマトリクス層３２の構成材料としては、カーボンブラック等の顔料が混入された樹脂からなる遮光層である。なお、このブラックマトリクス層３２には、フッ素樹脂等の撥液性を有する樹脂を混合させてもよい。
【００３７】
図３は、図１のＡ部拡大図である。なお、図３においては、説明を分かり易くするため陰極１１より上層を省略する。図１，３に示すように、上述した発光層４０は、上述した半透過反射機能を有する陰極１１と金属反射板１５との間に挟持されており、これら陰極１１と金属反射板１５との間で、発光層４０から射出された光を共振させる光共振構造が形成されている。この構成によれば、発光層４０から射出された光は、金属反射板１５と陰極１１との間で往復し、その光学的距離Ｌに対応した共振波長の光だけが増幅されて取り出される（図３中矢印参照）。このため、発光輝度が高く、スペクトルもシャープな光を取り出すことができる。
【００３８】
各発光素子２１の共振波長は、金属反射板１５と陰極１１との間の光学的距離Ｌ、つまり金属反射板１５と陰極１１との間に形成された各層（例えば、有機機能層１２、陽極１０）の膜厚と屈折率とのそれぞれの積の総和によって求められる。本実施形態では、各画素領域ＸＲ，ＸＧ,ＸＢの金属反射板１５と陰極１１との間の光共振器構造における光学的距離Ｌを調整することで、各画素領域ＸＲ，ＸＧ,ＸＢの共振波長を異ならせている。つまり、光共振器構造における共振波長の異なる複数の発光素子２１が含まれているため、白色光を発光する発光層４０からそれぞれ異なった色（赤色光、緑色光、青色光）が取り出されるようになっている。そして、赤色光、緑色光、青色光が、それぞれ赤色着色層３７Ｒ、緑色着色層３７Ｇ、青色着色層３７Ｂを透過するため、より色再現性の高い光を取り出すことができる。
【００３９】
ここで、青色着色層３７Ｂは、発光素子２１の陽極１０に対向する位置の発光層４０と重なる領域の中央部（例えば、金属反射板１５に重なる領域）に設けられた第１青色着色層３７Ｂａと、発光層４０と重なる領域の周辺部（例えば、金属反射板１５に重なる領域外）に設けられた第２青色着色層３７Ｂｂと、を備えている。また、緑色着色層３７Ｇは、発光素子２１の陽極１０に対向する位置の発光層４０と重なる領域の中央部（例えば、金属反射板１５に重なる領域）に設けられた第１緑色着色層３７Ｇａと、発光層４０と重なる領域の周辺部（例えば、金属反射板１５に重なる領域外）に設けられた第２緑色着色層３７Ｇｂと、を備えている。
【００４０】
図４は、視野角による光の射出方向の違いを示す図である。図４においては、説明を分かり易くするために、発光層４０、青色着色層３７Ｂ、ブラックマトリクス層３２を除いた構成を省略している。図４に示すように、青色着色層３７Ｂの中央部の第１青色着色層３７Ｂａは、発光層４０の中央部に重なる位置に設けられている。また、青色着色層３７Ｂの周辺部の第２青色着色層３７Ｂｂは、発光層４０の周辺部に重なる位置に設けられている。
【００４１】
このような構造により、発光層４０からほぼ鉛直方向に射出された光、言い換えると観察者の視覚方向の正面（視野角０°）の光は、ほとんど第１青色着色層３７Ｂａを透過することがわかる。一方、発光層４０から斜め方向に射出された光、例えば視野角θ１（３０°）、視野角θ２（６０°）の光は、ほとんど第１青色着色層３７Ｂａを透過せずに、第２青色着色層３７Ｂｂを透過することがわかる。
【００４２】
なお、本図では青色着色層３７Ｂを透過する光を例に挙げて視野角による光の射出方向の違いを説明しているが、緑色着色層３７Ｇを透過する光についても青色着色層３７Ｂを透過する光と同様になっている。つまり、第１着色層３７Ｂａ，３７Ｇａの各々は、発光層４０から射出された光のうち、発光層４０からほぼ鉛直方向に射出された光を透過するようになっている。また、第２着色層３７Ｂｂ，３７Ｇｂの各々は、発光層４０から射出された光のうち、発光層４０から斜め方向に射出された光を透過するようになっている。
【００４３】
ところで、発光層４０から斜め方向に射出された光は、発光層４０からほぼ鉛直方向に射出された光に対して、光の強度のスペクトルのピーク波長が相対的に短波長側にシフトする（図５参照）。つまり、視野角が大きくなるにつれ光の強度のスペクトルのピーク波長が相対的に短波長側にシフトした光が、第２着色層３７Ｂｂ，３７Ｇｂの各々を透過することになる。そこで、本実施形態の着色層３７Ｂ，３７Ｇは、第２着色層３７Ｂｂ，３７Ｇｂの各々で透過される光の透過率のスペクトルのピーク波長が、第１着色層３７Ｂａ，３７Ｇａの各々で透過される光の透過率のスペクトルのピーク波長より長波長側にシフトするように調整されている。
【００４４】
本願発明者は、第１青色着色層３７Ｂａで透過される光の透過率のスペクトルのピーク波長と、第２青色着色層３７Ｂｂで透過される光の透過率のスペクトルのピーク波長と、の間のシフト量を所定の波長の範囲に設定してシミュレーションを行った。そして、光の強度のスペクトルと光の透過率のスペクトルとが掛け合わされることにより、第１青色着色層３７Ｂａで透過される光と第２青色着色層３７Ｂｂで透過される光とのスペクトルのピーク波長のずれが最小限に抑えられることを見出した。以下、本願発明者が行ったシミュレーションの結果を説明する。
【００４５】
図５は、光の強度のスペクトルと光の透過率のスペクトルとの関係を示す図である。本図は、視野角による光の波長と強度との関係（光の強度のスペクトル）と、青色着色層３７Ｂで透過される光の波長と透過率との関係（光の透過率のスペクトル）と、を示している。なお、本図では、光の強度のスペクトルと光の透過率のスペクトルとが掛け合わされる様子がよくわかるように、視野角による光の波長と強度との関係と、青色着色層３７Ｂで透過される光の波長と透過率との関係と、の２つの関係を同図に示している。
【００４６】
先ず、視野角による光の波長と強度との関係について説明する。視野角による光の波長と強度との関係において、横軸は波長、縦軸は強度（図示略）を示している。符号Ｓ１は視野角０°における光の強度のスペクトル、符号Ｓ２は視野角θ１（３０°）における光の強度のスペクトル、符号Ｓ３は視野角θ２（６０°）における光の強度のスペクトル、を示している。
【００４７】
視野角０°における光の強度のスペクトルＳ１にあっては、ピーク波長が４８０ｎｍ程度となっている。また、視野角３０°における光の強度のスペクトルＳ２にあっては、ピーク波長が４７０ｎｍ程度となっている。また、視野角６０°における光の強度のスペクトルＳ３にあっては、ピーク波長が４６０ｎｍ程度となっている。このように、視野角が大きくなるにつれて光の強度のスペクトルのピーク波長が短波長側にシフトしていくことがわかる。また、視野角が大きくなるにつれて光の強度のスペクトルのピーク強度についても低い値にシフトしていくことがわかる。
【００４８】
次に、青色着色層３７Ｂで透過される光の波長と透過率との関係について説明する。青色着色層３７Ｂで透過される光の波長と透過率との関係において、横軸は波長、縦軸は透過率を示している。符号Ｃ１は第１青色着色層３７Ｂａで透過される光の透過率のスペクトル、符号Ｃ２は第２青色着色層３７Ｂｂで透過される光の透過率のスペクトル、を示している。
【００４９】
また、符号Ｐ１は第１青色着色層３７Ｂａで透過される光の透過率のスペクトルＣ１の最大透過率の所定割合の透過率を示す光の波長のうち最小の波長（第１波長）、符号Ｐ２は第１青色着色層３７Ｂａで透過される光の透過率のスペクトルＣ１の最大透過率の所定割合の透過率を示す光の波長のうち最大の波長（第２波長）、符号Ｐ１’は第２青色着色層３７Ｂｂで透過される光の透過率のスペクトルＣ２の最大透過率の所定割合の透過率を示す光の波長のうち最小の波長（第１波長）、符号Ｐ２’は第２青色着色層３７Ｂｂで透過される光の透過率のスペクトルＣ２の最大透過率の所定割合の透過率を示す光の波長のうち最大の波長（第２波長）、を示している。
【００５０】
また、符号Ｆ１は第１青色着色層３７Ｂａで透過される光の透過率のスペクトルのピーク波長と第２青色着色層３７Ｂｂで透過される光の透過率のスペクトルのピーク波長との間のシフト量を示している。また、符号Ｆ２は第１青色着色層３７Ｂａで透過される光の透過率のスペクトルＣ１の最大透過率の所定割合の透過率を示す光の波長のうち最小の波長Ｐ１と、第２青色着色層３７Ｂｂで透過される光の透過率のスペクトルＣ２の最大透過率の所定割合の透過率を示す光の波長のうち最小の波長Ｐ１’との間のシフト量を示している。
【００５１】
第１青色着色層３７Ｂａで透過される光の透過率のスペクトルＣ１にあっては、光の強度のスペクトルＳ１と同様にピーク波長が４８０ｎｍ程度となっている。一方、第２青色着色層３７Ｂｂで透過される光の透過率のスペクトルＣ２にあっては、ピーク波長が５１０ｎｍ程度となっている。このように、第１青色着色層３７Ｂａで透過される光の透過率のスペクトルＣ１におけるピーク波長が、第２青色着色層３７Ｂｂで透過される光の透過率のスペクトルＣ２におけるピーク波長よりも小さくなっている。
【００５２】
本実施形態では、第１青色着色層３７Ｂａで透過される光の透過率のスペクトルＣ１のピーク波長と、第２青色着色層３７Ｂｂで透過される光の透過率のスペクトルＣ２のピーク波長と、の間のシフト量Ｆ１を波長３０ｎｍ程度に設定している。
【００５３】
これは、本願発明者が、前記シフト量Ｆ１を波長５〜１００ｎｍの範囲内に設定することにより、光の強度のスペクトルＳ１，Ｓ２，Ｓ３と、光の透過率のスペクトルＣ１，Ｃ１と、が掛け合わされ、その結果、第１青色着色層３７Ｂａで透過される光と第２青色着色層３７Ｂｂで透過される光とのスペクトルのピーク波長のずれが最小限に抑えられることを見出したことによる。
【００５４】
具体的には、第２青色着色層３７Ｂｂにおいては、ピーク波長が相対的に短波長側にシフトした光の強度のスペクトルＳ２，Ｓ３と、ピーク波長が相対的に長波長側にシフトした光の透過率のスペクトルＣ２と、が掛け合わされる。これにより、短波長側にシフトした光の強度のスペクトルＳ２，Ｓ３のピーク波長が長波長側にシフトする。このようにして、青色光が取り出される着色層３７Ｂを構成する第１青色着色層３７Ｂａで透過される光と第２青色着色層３７Ｂｂで透過される光とのスペクトルのピーク波長のずれが最小限に抑えられる。
【００５５】
なお、本図では青色着色層３７Ｂで透過される光を例に挙げてシミュレーション結果を説明しているが、緑色着色層３７Ｇで透過される光についても青色着色層３７Ｂで透過される光と同様のシミュレーション結果となると、本願発明者は推測している。
【００５６】
また、本実施形態では、第１青色着色層３７Ｂａで透過される光の透過率のスペクトルＣ１における第１波長Ｐ１が、第２青色着色層３７Ｂｂで透過される光の透過率のスペクトルＣ２における第１波長Ｐ１’よりも小さくなっている。また、第１青色着色層３７Ｂａで透過される光の透過率のスペクトルＣ１における第２波長Ｐ２が、第２青色着色層３７Ｂｂで透過される光の透過率のスペクトルＣ２における第２波長Ｐ２’よりも小さくなっている。
【００５７】
図６は、本実施形態における色度の視野角特性を示す色度図（ｘｙ色度図）である。図６中の実線は、視野角が０°から所定の角度まで変化した場合におけるスペクトルのピーク波長の変化を示している。
【００５８】
図６に示すように、視野角０°における各色の色度は赤色光がＲ１、緑色光がＧ１、青色光がＢ１となっており、視野角が大きくなるにつれ赤色光がＲ２、緑色光がＧ２、青色光がＢ２に向かって短波長側へシフトしている。そして、これら各色の色度の合成となる白色光の色度は、視野角０°においてＷ１となっており、視野角が大きくなるにつれＷ２に向かって短波長側へシフトしている。
【００５９】
本実施形態では、ｘｙ色度図をｕ’ｖ’色度図（図示略）に変換したときに、第１青色着色層３７Ｂａを透過した光のｕ’ｖ’色度座標における色度座標と、第２青色着色層３７Ｂｂを透過した光のｕ’ｖ’色度座標における色度座標と、の距離をΔｕ’ｖ’とすると、Δｕ’ｖ’の値が０．０２より小さくなるように設定されている（Δｕ’ｖ’＜０．０２）。これにより、観察者から色ずれが分からない程度に色度シフトの量が調整されることになる。
【００６０】
本実施形態の有機ＥＬ装置１によれば、第２青色着色層３７Ｂｂで透過される光の透過率のスペクトルＣ２のピーク波長が、第１青色着色層３７Ｂａで透過される光の透過率のスペクトルＣ１のピーク波長よりも長波長側にシフトするように調整されている。このため、第２青色着色層３７Ｂｂにおいては、ピーク波長が相対的に短波長側にシフトした光の強度のスペクトルＳ２，Ｓ３と、ピーク波長が相対的に長波長側にシフトした光の透過率のスペクトルＣ２と、が掛け合わされることになる。これにより、短波長側にシフトした光の強度のスペクトルＳ２，Ｓ３のピーク波長が長波長側にシフトする。このようにして、青色光が取り出される青色着色層３７Ｂを構成する第１青色着色層３７Ｂａで透過される光と第２青色着色層３７Ｂｂで透過される光とのスペクトルのピーク波長のずれが最小限に抑えられる。すなわち、視野角が大きくなるにつれて白色光が青色光にシフトするのを抑えることになる。したがって、視野角の違いにより発生する色ずれを抑制することができる。
【００６１】
また、この構成によれば、緑色光を発光する発光素子２１の素子基板２０Ａの法線方向から見て発光層４０と重なる領域に、第１緑色着色層３７Ｇａと第２緑色着色層３７Ｇｂとを有する緑色着色層３７Ｂが設けられている。このため、緑色光が取り出される緑色着色層３７Ｇを構成する第１緑色着色層３７Ｇａで透過される光と第２緑色着色層３７Ｇｂで透過される光とのスペクトルのピーク波長のずれが最小限に抑えられる。したがって、青色光を透過する青色着色層３７Ｂに加えて緑色光を透過する緑色着色層３７Ｇを最適な透過率に調整することにより、視野角の違いにより発生する色ずれを格段に抑制することができる。
【００６２】
また、この構成によれば、第１青色着色層３７Ｂａで透過される光の透過率のスペクトルＣ１のピーク波長と、第２青色着色層３７Ｂｂで透過される光の透過率のスペクトルＣ２のピーク波長と、の間のシフト量Ｆ１が波長５〜１００ｎｍの範囲内に設定されているので、視野角が大きくなるにつれて白色光が青色光にシフトし色ずれが生じてしまうことがない。これは、本願発明者が、前記シフト量Ｆ１を波長５〜１００ｎｍの範囲内に設定することにより、光の強度のスペクトルＳ１，Ｓ２，Ｓ３と、光の透過率のスペクトルＣ１，Ｃ２と、が掛け合わされ、その結果、第１青色着色層３７Ｂａで透過される光と第２青色着色層３７Ｂｂで透過される光とのスペクトルのピーク波長のずれが最小限に抑えられる。したがって、この構成によれば、視野角が大きくなるにつれて白色光が青色光にシフトするのを抑え、視野角の違いにより発生する色ずれを抑制することができる。
【００６３】
また、この構成によれば、第１波長Ｐ１が第１波長Ｐ１’よりも小さく、第２波長Ｐ２が第２波長Ｐ２’よりも小さく、第１青色着色層３７Ｂａで透過される光の透過率のスペクトルＣ１におけるピーク波長が、第２青色着色層３７Ｂｂで透過される光の透過率のスペクトルＣ２におけるピーク波長よりも小さくなっているので、短波長側にシフトした光の強度のスペクトルＳ２，Ｓ３のピーク波長が確実に長波長側にシフトする。つまり、青色光が取り出される青色着色層３７Ｂを構成する第１青色着色層３７Ｂａで透過される光と第２青色着色層３７Ｂｂで透過される光とのスペクトルのピーク波長のずれがより最小限に抑えられる。したがって、視野角が大きくなるにつれて白色光が青色光にシフトするのを抑え、視野角の違いにより発生する色ずれを格段に抑制することができる。
【００６４】
また、この構成によれば、色度の視野角特性を示す色度図において、第１青色着色層３７Ｂａを透過した光のｕ’ｖ’色度座標における色度座標と、第２青色着色層３７Ｂｂを透過した光のｕ’ｖ’色度座標における色度座標と、の距離Δｕ’ｖ’が、０．０２より小さくなるように設定されている。このため、着色層３７Ｒ，３７Ｇ，３７Ｂの透過前に、発光層４０から斜め方向に射出された光が発光層４０からほぼ鉛直方向に射出された光に対して光の強度のスペクトルのピーク波長が相対的に短波長側にシフトしていても、着色層３７Ｒ，３７Ｇ，３７Ｂの透過後には、発光層４０から斜め方向に射出された光と発光層４０からほぼ鉛直方向に射出された光との色度がほぼ同じになる。したがって、視野角が大きくなるにつれて白色光が青色光にシフトするのを抑え、視野角の違いにより発生する色ずれを抑制することができる。
【００６５】
なお、所定割合は、着色層を透過する光のスペクトルの最大透過率の５０％であり、かつ、第１波長Ｐ１と第１波長Ｐ１’と、の間のシフト量Ｆ２が波長５〜４０ｎｍの範囲内になるように設定されているのがよい。
【００６６】
この構成によれば、視野角が大きくなるにつれて白色光が青色光にシフトし色ずれが生じてしまうことがない。これは、本願発明者が、所定割合を光の透過率のスペクトルの最大透過率の５０％とし、かつ、前記シフト量Ｆ２を波長５〜４０ｎｍの範囲内に設定することにより、光の強度のスペクトルＳ１，Ｓ２，Ｓ３と光の透過率のスペクトルＣ１，Ｃ２とが掛け合わされ、その結果、第１青色着色層３７Ｂａで透過される光と第２青色着色層３７Ｂｂで透過される光とのスペクトルのピーク波長のずれが、より最小限に抑えられることを見出したことによる。したがって、この構成によれば、視野角が大きくなるにつれて白色光が青色光にシフトするのを抑え、視野角の違いにより発生する色ずれを格段に抑制することができる。
【００６７】
なお、本実施形態では、第１青色着色層３７Ｂａで透過される光の透過率のスペクトルＣ１のピーク波長と、第２青色着色層３７Ｂｂで透過される光の透過率のスペクトルＣ２のピーク波長と、の間のシフト量Ｆ１を波長３０ｎｍ程度に設定しているが、これに限らず、波長５〜１００ｎｍの範囲内に設定することができる。これは、本願発明者が、前記シフト量Ｆ１を波長５〜１００ｎｍの範囲内に設定することにより、光の強度のスペクトルＳ１，Ｓ２，Ｓ３と、光の透過率のスペクトルＣ１，Ｃ２と、が掛け合わされ、その結果、第１青色着色層３７Ｂａで透過される光と第２青色着色層３７Ｂｂで透過される光とのスペクトルのピーク波長のずれが最小限に抑えられることを見出したことによる。
【００６８】
なお、本実施形態の有機ＥＬ装置１は、青色着色層３７Ｂと緑色着色層３７Ｇとが、それぞれ光の透過率のスペクトルが異なる第１着色層と第２着色層との２つの着色層を有しているがこれに限らない。例えば、青色着色層３７Ｂのみが、光の透過率のスペクトルが異なる第１着色層と第２着色層との２つの着色層を有していてもよい。
【００６９】
なお、本実施形態の有機ＥＬ装置１は、赤色着色層３７Ｒ、緑色着色層３７Ｇ、青色着色層３７Ｂが平面視矩形状であるが、これに限らない。例えば、赤色着色層３７Ｒ、緑色着色層３７Ｇ、青色着色層３７Ｂが平面視円形状であってもよいし、平面視楕円形状であってもよい。
【００７０】
なお、本実施形態の有機ＥＬ装置１は、青色着色層３７Ｂと緑色着色層３７Ｇとの各第１着色層が金属反射板１５に重なる領域に、青色着色層３７Ｂと緑色着色層３７Ｇとの各第２着色層が金属反射板１５に重なる領域外に設けられている例を示したが、これに限らない。例えば、青色着色層３７Ｂと緑色着色層３７Ｇとの各第１着色層が、金属反射板１５に重なる領域よりも内側に、あるいは金属反射板１５に重なる領域よりも外側に設けられていてもよい。すなわち、青色着色層３７Ｂと緑色着色層３７Ｇとの各第１着色層が、少なくとも金属反射板１５に重なる領域に設けられ、その周辺部に青色着色層３７Ｂと緑色着色層３７Ｇとの各第２着色層が設けられていればよい。
【００７１】
（第２実施形態）
次に、本発明の第２実施形態に係る有機ＥＬ装置２の構成について、図７及び図８を用いて説明する。図７は、図１に対応した、第２実施形態における有機ＥＬ装置２の概略構成を示した断面図である。図８は、図３に対応した、図７のＡ’部拡大図である。図７及び図８に示すように、本実施形態の有機ＥＬ装置２は、各画素隔壁１３間（画素領域ＸＲ，ＸＧ，ＸＢ）に有機機能層１２Ｒ，１２Ｇ，１２Ｂがそれぞれ形成されている点、複数の発光素子２１の素子基板２０Ａの法線方向から見て、有機機能層１２Ｒ，１２Ｇ，１２Ｂと重なる領域に、着色層３７Ｒ，３７Ｇ’，３７Ｂ’を有している点、着色層３７Ｂ’，３７Ｇ’が、それぞれ第１実施形態の第２着色層３７Ｂｂ，３７Ｇｂに代えて色変換層３７Ｂｃ，３７Ｇｃを有している点、で上述の第１実施形態で説明した有機ＥＬ装置１と異なっている。その他の点は第１実施形態と同様であるので、図１及び図３と同様の要素には同一の符号を付し、詳細な説明は省略する。
【００７２】
有機機能層１２Ｒ，１２Ｇ，１２Ｂは、それぞれ正孔注入・輸送層３０Ｒと赤色発光層４０Ｒ、正孔注入・輸送層３０Ｇと緑色発光層４０Ｇ、正孔注入・輸送層３０Ｂと青色発光層４０Ｂ、を備えている。カラーフィルター３７’は、赤色着色層３７Ｒと、緑色着色層３７Ｇ’と、青色着色層３７Ｂ’と、を有して構成されている。
【００７３】
青色着色層３７Ｂ’は、青色発光層４０Ｂと重なる領域の中央部に設けられた第１青色着色層３７Ｂａと、青色発光層４０Ｂと重なる領域の周辺部に設けられた色変換層３７Ｂｃと、を備えている。また、緑色着色層３７Ｇ’は、緑色発光層４０Ｇと重なる領域の中央部に設けられた第１緑色着色層３７Ｇａと、緑色発光層４０Ｇと重なる領域の周辺部に設けられた色変換層３７Ｇｃと、を備えている。色変換層３７Ｂｃ，３７Ｇｃの各々は、発光層４０Ｂ，４０Ｇから射出された光のうち、発光層４０Ｂ，４０Ｇから斜め方向に射出された光を透過するようになっている。
【００７４】
色変換層３７Ｂｃ，３７Ｇｃは有機蛍光色素をマトリックス樹脂に含有させて形成された層である。色変換層３７Ｂｃ，３７Ｇｃは、それぞれ発光層４０Ｂ，４０Ｇから射出される光の強度のスペクトルのピーク波長の値を、発光層４０Ｂ，４０Ｇから素子基板２０Ａの法線方向に射出される光の強度のスペクトルのピーク波長の値よりも長波長側に変換するものである。マトリックス樹脂は、有機蛍光色素を分散させる母材の樹脂（バインダー）である。
【００７５】
色変換層３７Ｂｃは、発光素子２１Ｂから発せられる青色光を緑色光に波長変換する有機蛍光色素を有している。発光素子２１Ｂから発せられる青色光を緑色光に波長変換する有機蛍光色素としては、例えばクマリン系色素、クマリン色素系染料、ナフタルイミド系色素がある。また、色変換層３７Ｇｃは、発光素子２１Ｇから発せられる緑色光を赤色光に波長変換する有機蛍光色素を有している。
【００７６】
本実施形態の有機ＥＬ装置２によれば、発光層４０Ｂ，４０Ｇから斜め方向に射出された光の強度のスペクトルのピーク波長が長波長側に変換される。このため、第１着色層３７Ｂａ，３７Ｇａで透過される光と色変換層３７Ｂｃ，３７Ｇｃで透過される光とのスペクトルのピーク波長のずれが最小限に抑えられ、視野角が大きくなるにつれて白色光が青色光にシフトするのを抑えることになる。したがって、視野角の違いにより発生する色ずれを抑制することができる。また、発光層４０Ｂ，４０Ｇから射出される光の発光色は所定の色に限定されないため、輝度の高い発光素子を光源に用いることができる。したがって、輝度特性の高い光を取り出すことができる。
【００７７】
また、この構成によれば、色変換層３７Ｂｃが、青色光を緑色光に波長変換するため、青色発光層４０Ｂから斜め方向に射出された青色光が長波長の緑色光に波長変換される。このため、第１着色層３７Ｂａで透過される光と色変換層３７Ｂｃで透過される光とのスペクトルのピーク波長のずれが最小限に抑えられる。そして、視野角が大きくなるにつれて白色光が青色光にシフトするのを抑えることになる。したがって、視野角の違いにより発生する色ずれを抑制することができる。
【００７８】
また、この構成によれば、色変換層３７Ｇｃが、緑色光を赤色光に波長変換するため、緑色発光層４０Ｇから斜め方向に射出された緑色光が長波長の赤色光に波長変換される。このため、第１着色層３７Ｇａで透過される光と色変換層３７Ｇｃで透過される光とのスペクトルのピーク波長のずれが最小限に抑えられる。そして、視野角が大きくなるにつれて白色光が青色光にシフトするのを抑えることになる。したがって、青色光に加えて緑色光を波長変換することにより、視野角の違いにより発生する色ずれを格段に抑制することができる。
【００７９】
なお、本実施形態に係る色変換層３７Ｂｃは、発光素子２１Ｂから発せられる青色光を赤色光に波長変換する有機蛍光色素を有していてもよい。発光素子２１Ｂから発せられる青色光を赤色光に波長変換する有機蛍光色素としては、例えばローダミン系色素、シアニン系色素、ピリジン系色素、オキサジン系色素がある。
【００８０】
なお、本実施形態の有機ＥＬ装置２は、青色着色層３７Ｂ’と緑色着色層３７Ｇ’とが、それぞれ第１着色層と色変換層との２つの着色層を有しているがこれに限らない。例えば、青色着色層３７Ｂ’のみが、第１着色層と色変換層との２つの着色層を有していてもよい。
【００８１】
（電子機器）
次に、本発明の電子機器について説明する。
電子機器は、上述した有機ＥＬ装置１を表示部として有したものであり、具体的には図９に示すものが挙げられる。
図９（ａ）は、携帯電話の一例を示した斜視図である。図９（ａ）において、携帯電話１０００は、上述した有機ＥＬ装置１を用いた表示部１００１を備える。
図９（ｂ）は、腕時計型電子機器の一例を示した斜視図である。図９（ｂ）において、時計（電子機器）１１００は、上述した有機ＥＬ装置１を用いた表示部１１０１を備える。
図９（ｃ）は、ワープロ、パソコンなどの携帯型情報処理装置の一例を示した斜視図である。図９（ｃ）において、情報処理装置１２００は、キーボードなどの入力部１２０２、上述した有機ＥＬ装置１を用いた表示部１２０６、情報処理装置本体（筐体）１２０４を備える。
図９（ｄ）は、薄型大画面テレビの一例を示した斜視図である。図９（ｄ）において、薄型大画面テレビ１３００は、薄型大画面テレビ本体（筐体）１３０２、スピーカーなどの音声出力部１３０４、上述した有機ＥＬ装置１を用いた表示部１３０６を備える。
【００８２】
図９（ａ）〜（ｄ）に示すそれぞれの電子機器は、上述した有機ＥＬ装置１を有した表示部１００１，１１０１，１２０６，１３０６を備えているので、表示部における視野角の違いによって発生する色ずれを抑制することが図られたものとなる。
【００８３】
また、有機ＥＬ装置１を表示部として備える場合に限らず、発光部として備える電子機器であってもよい。例えば、有機ＥＬ装置１を露光ヘッド（ラインヘッド）として備えるページプリンタ（画像形成装置）であってもよい。
【符号の説明】
【００８４】
１，２…有機ＥＬ装置（発光装置）、１０…陽極（第１電極）、１１…陰極（第２電極）、１５…金属反射板（光反射層）、２０Ａ…素子基板（基板）、２１…発光素子、３７Ｒ…赤色着色層（着色層）、３７Ｒａ…第１赤色着色層（第１着色層）、３７Ｒｂ…第２赤色着色層（第２着色層）、３７Ｇ，３７Ｇ’…緑色着色層（着色層）、３７Ｇａ…第１緑色着色層（第１着色層）、３７Ｇｂ…第２緑色着色層（第２着色層）、３７Ｇｃ，３７Ｂｃ…色変換層、３７Ｂ，３７Ｂ’…青色着色層（着色層）、３７Ｂａ…第１青色着色層（第１着色層）、３７Ｂｂ…第２青色着色層（第２着色層）、４０，４０Ｒ，４０Ｇ，４０Ｂ…発光層、１０００…携帯電話（電子機器）、１１００…時計（電子機器）、１２００…情報処理装置（電子機器）、１３００…薄型大型テレビ（電子機器）、１００１,１１０１,１２０６,１３０６…表示部（発光装置）、Ｆ１，Ｆ２…シフト量、Ｐ１，Ｐ１’…第１波長、Ｐ２，Ｐ２’…第２波長
【図１】
2010192138.tif 000003
【図２】
2010192138.tif 000004
【図３】
2010192138.tif 000005
【図４】
2010192138.tif 000006
【図５】
2010192138.tif 000007
【図６】
2010192138.tif 000008
【図７】
2010192138.tif 000009
【図８】
2010192138.tif 000010
【図９】
2010192138.tif 000011
【図１０】
2010192138.tif 000012
【図１１】
2010192138.tif 000013